(57)【要約】【課題】  映像を表示するデバイスに不具合が発生したことを検知する。【解決手段】  実施形態の表示異常検知システムは、情報を表示する表示手段を有する。この表示手段に表示させる表示データの一部を少なくとも第１若しくは第２のデータに置き換える置換手段と、予め決められた時間間隔で、交互に前記第１及び第２のデータへ置き換えるよう前記置換手段を制御する制御手段を有する。前記第１若しくは第２のデータが前記表示手段に表示された結果を検知し、前記第1および第2のデータの表示が交互に検知されない場合、表示異常と判断する。【選択図】    図２
2012073312.tif 000002
【特許請求の範囲】
【請求項１】
情報を表示する表示手段と、
この表示手段に表示させる表示データの一部を少なくとも第１若しくは第２のデータに置き換える置換手段と、
予め決められた時間間隔で、交互に前記第１及び第２のデータへ置き換えるよう前記置換手段を制御する制御手段と、
前記第１及び第２のデータが前記表示手段に表示された結果を検知する検知手段と、
前記検知手段により前記第1および第2のデータの表示結果が交互に検知されない場合、表示異常と判断する判断手段と、
からなることを特徴とする表示異常検知システム。
【請求項２】
前記表示手段は、複数のモジュールをその構成要素の一部とし、前記第1及び第2のデータへの前記表示データの一部の置き換えは、前記複数のモジュールのうち、少なくとも前記表示手段の隅に対応するモジュールの表示領域に一致する領域内で行われることを特徴とする請求項１記載の表示異常検知システム。
【請求項３】
前記複数のモジュールは、複数の光源であることを特徴とする請求項２記載の表示異常検知システム。
【請求項４】
前記表示データは、時系列に表示される複数の画像フレームデータにより構成され、前記制御手段は、予め決められた個数の前記画像フレームデータ各々の一部を第１若しくは第２のデータに置き換えるよう前記置換手段を制御することを特徴とする請求項１記載の表示異常検知システム。
【請求項５】
前記検知手段は、前記表示手段の駆動回路の電圧を検知することを特徴とする請求項１乃至４記載の表示異常検知システム。
【請求項６】
コンピュータを、
表示手段に表示させる表示データの一部を少なくとも第１若しくは第２のデータに置き換える置換機能と、
予め決められた時間間隔で、交互に前記第１及び第２のデータへ置き換えるよう前記置換手段を制御する制御機能と、
前記第１及び第２のデータが前記表示手段に表示された結果により前記第1および第2のデータの表示結果が交互に検知されない場合、表示異常と判断する判断機能と、
を実現させるための表示異常検知プログラム。
【発明の詳細な説明】
【技術分野】
【０００１】
本発明の実施形態は、広告等の映像データや画像データを表示する表示装置の表示異常を検出する表示異常検知システムおよびこのシステムを実現するプログラムに関する。
【背景技術】
【０００２】
近年、広告媒体として液晶ディスプレイ等の表示装置に広告を表示させる電子看板（デジタルサイネージ）が普及している。このデジタルサイネージは、広告を表示させる目的であるため、その表示に異常が生じることは極力避けなければならない。
【先行技術文献】
【特許文献】
【０００３】
【特許文献１】特開平７−３３５３８５号公報
【０００４】
【特許文献２】特開２００４−２５３２３５公報
【発明の概要】
【発明が解決しようとする課題】
【０００５】
このデジタルサイネージの設備のうち、映像を表示するデバイス（例えば、液晶ディスプレイ）に不具合が発生することを想定して、設備設置者は、設備を常時点検する必要がある。この点検にかかるコストを削減するため、遠隔よりデバイスの不具合状況を把握する必要がある。
【課題を解決するための手段】
【０００６】
本実施形態の表示異常検知システムは、情報を表示する表示手段を有する。この表示手段に表示させる表示データの一部を少なくとも第１若しくは第２のデータに置き換える置換手段と、予め決められた時間間隔で、交互に前記第１及び第２のデータへ置き換えるよう前記置換手段を制御する制御手段を有する。前記第１若しくは第２のデータが前記表示手段に表示された結果を検知し、前記第1および第2のデータの表示が交互に検知されない場合、表示異常と判断する。
【図面の簡単な説明】
【０００７】
【図１】第１の実施形態に係る表示異常検知システムのブロック図。
【図２】第１の実施形態に係る広告データの時系列フレームデータの模式図。
【図３】第１の実施形態に係る異常検知方法を示した模式図。
【図４】第２の実施形態に係るディスプレイパネル上での異常検知用データの付加位置を示した図。
【発明を実施するための形態】
【０００８】
図１は、第１の実施形態に係る表示異常検知システムのブロック図である。本実施形態の表示異常検知システムは、制御ユニット１と表示ユニット２から構成される。制御ユニット１は、制御ユニット１の全体を制御するＣＰＵ１０を有する。ＣＰＵ１０には、外部バスを介してＲＡＭ１１、ＲＯＭ１２、ＨＤＤ１３、ＬＡＮアダプタ１４、グラフィック制御部１５等が接続されている。
【０００９】
ＲＯＭ１２は、デバイスを制御するファームウェア等を格納しており、制御ユニット１の起動に合わせて、ＲＯＭ１２内のデータはＲＡＭ１１に読み込まれる。また、ＨＤＤ１３は、オペレーティングシステムや各種アプリケーションが格納している。このオペレーティングシステムや各種アプリケーションは、必要に応じてＲＡＭ１１に読み込まれ、ＣＰＵ１０にて処理される。尚、ＨＤＤ１３はＳＳＤ等の別形態のメディアであっても構わない。ＬＡＮアダプタ１４は、例えば公知の公衆回線（無線・有線ＬＡＮ、携帯電話網等）を介して外部と接続され、制御部ユニット１は外部と通信可能に構成されている。
【００１０】
グラフィック制御部１５は、ＨＤＤ１３に格納された広告データをデジタルデータとして図示しないインターフェース部を介し、ディスプレイケーブル２５を経由して表示ユニット２へ出力する。尚、広告データはＨＤＤ１３に格納されたもの以外に、ＬＡＮアダプタ１４を介して外部から送信されたものでも構わない。
【００１１】
表示ユニット２には、表示ユニット２の全体を制御するディスプレイ制御回路２０を有する。ディスプレイ制御回路２０は、制御ユニット１より受信した広告データを静止画像データや映像データとしてディスプレイ駆動回路２１を制御してディスプレイパネル２２に表示させる。ディスプレイパネル２２は、図示しない複数の液晶モジュールと光源（例えば、ＬＥＤ）から構成される。ディスプレイ駆動回路２１は、複数の液晶モジュールと光源を制御して、ディスプレイ制御回路２０からの広告データをディスプレイパネル２２に表示させる。
【００１２】
ディスプレイパネル２２の表示面近傍には、ＣＣＤセンサ２３が設けられている。ＣＣＤセンサ２３からの出力は、ディスプレイ制御回路２０に入力される。
【００１３】
ディスプレイ駆動回路２１は、液晶モジュールの各画素を制御可能である。この液晶モジュールの画素の幾つかには、例えば電圧検知が可能なセンサ２４が並列に接続されている。センサ２４の出力は、ディスプレイ制御回路２０に入力される。
【００１４】
図２は、第１の実施形態に係る広告データの時系列フレームデータの模式図である。広告データは、時系列に順次入れ替えられるフレームデータとして構成される。この図ではフレームデータ３０ａからフレームデータ３０ｂ、３０ｃ、３０ｄ、３０ｅ、３０ｆ、３０ｇ・・・の順に予め決められた時間間隔で順次ディスプレイパネル２２に表示される。
【００１５】
ディスプレイ制御回路２０は、制御ユニット１から受け取った広告データに対して、異常検知用データ４０を各フレームデータ３０の一部かつディスプレイパネル２２上での同一アドレスに付加する。例えば、フレームデータ３０ａ、３０ｂには、黒の異常検知用データ４０ａを、フレームデータ３０ｃ、３０ｄには、白の異常検知用データ４０ｂを付加する。この例では、フレームデータ２つ毎に交互に異なる色の異常検知用データ４０を付加している。このフレームデータ数は任意に設定可能である。
【００１６】
異常検知用データ４０は、ディスプレイパネル２２の少なくとも１つの画素に対応する。これは任意に設定可能であり、例えば２×２画素に設定される。
【００１７】
異常検知用データ４０の付加する位置は、フレームデータ３０任意の位置に設定可能である。ただし、広告データに対して小さいながらもデータを一部改変しての異常検知用データを付加するため、人の目に付きにくいフレームデータ３０の四隅近傍であることが好ましい。
【００１８】
図３は、本実施形態に係る異常検知方法を示した模式図である。図３（ａ）は、時間毎に異常検知用データ４０の白データ、黒データを切り替えて付加した状態を示す。低レベル側を黒データ付加、高レベル側を白データ付加と定義する。この図に示すように、ある時間間隔で白データ、黒データが交互に付加されている。
【００１９】
図３（ｂ）は、広告データが正常に表示されている場合のＣＣＤセンサ２３及びセンサ２４の出力結果を示す。フレームデータ３０の白データ、黒データを時系列に交互に付加表示された状態に連動して、センサ出力が変動する。これにより、広告データが正常に表示されていると判断される。
【００２０】
図３（ｃ）は、広告データが正常に表示されていない場合のＣＣＤセンサ２３及びセンサ２４の出力結果を示す。フレームデータ３０の白データ、黒データを時系列に交互に付加表示された状態に対応せず、センサ出力のレベルが一定となっている。ＣＣＤセンサ２３の出力が一定である場合、光源に異常があると判断される。また、センサ２４の出力が一定である場合は、液晶モジュール側の異常であると判断される。
【００２１】
図３（ｃ）のようにＣＣＤセンサ２３、センサ２４のセンサ出力レベルが一定の状態であるとディスプレイ制御回路２０が判断した場合、ディスプレイ制御回路２０はディスプレイケーブル２５を経由して、制御ユニット１に表示異常である旨の情報を送信する。表示異常の情報を受信した制御ユニット１は、例えばＬＡＮアダプタ１４を介して外部の管理サーバ等に対し、表示異常を通知する。
【００２２】
尚、本実施の形態では、ディスプレイ制御回路２０がフレームデータ３０に対して異常検知用データ４０を付加するよう構成したが、これに限らず、制御ユニット１のグラフィック制御部１５や、ＣＰＵ１０上で動作するソフトウェアアプリケーションにより行われてもよい。また、ＣＣＤセンサ２３、センサ２４の出力は、ディスプレイ制御部２０に入力される構成ではなく、制御ユニット１に入力されるよう構成してもよい。このように構成した場合、グラフィック制御部１５やＣＰＵ１０上で動作するソフトウェアアプリケーションで異常を検知可能である。
【００２３】
つまり、広告データに対して予め決められた位置（アドレス）の画素データを異常検知用データに置き換える機能、この異常検知用データを時間毎、言い換えるとフレームデータの所定枚数毎に形態の異なるデータ（白データ、黒データ）に切り替える機能、センサからの出力から表示異常であるか否かを判断する機能が搭載されていればよい。その他、本実施形態の思想を逸脱しない範囲で種々変形可能である。
【００２４】
本実施形態を採用することにより、既存構成に対して少ない構成追加で広告データの表示異常を検知することができる。
【００２５】
図４は、第２の実施形態に係るディスプレイパネル上での異常検知用データの付加位置を示した図である。尚、第１の実施形態と同一の符号が付与された構成については、第１の実施形態の説明と同じであるため、説明を省略する。
【００２６】
ディスプレイパネル２２の裏面には、複数の光源５０ａ〜５０ｄが配置されている。光源５０は、図の右端から左端に向かう主走査方向に長く構成されている。また、主走査方向と直交する副走査方向に光源５０ａ〜５０ｄは並べられている。これら各々の光源は、蛍光管であってもよいし、小さなＬＥＤが多数配列されたＬＥＤ照明であっても良い。この複数の光源は、ディスプレイパネル２２の裏側から発光し、各光源を中心に副走査方向で点線で囲まれたディスプレイパネル２２の照明領域５１ａ〜５１ｄを照明する。
【００２７】
ディスプレイ上での異常検知用データ４０は、照明領域５１ａ〜５１ｄの中に少なくとも１つ存在するようフレームデータ３０内に複数付加される。本実施形態では、照明領域が４つに分割されているため、４つの異常検知用データ４０ａ−１〜４０ａ−４（４０ｂ−１〜４０ｂ−４）がフレームデータ３０内に領域５１ａ〜５１ｄに対応する位置に付加される。尚、異常検知用データ４０の付加される位置は、ディスプレイパネル２２の表示領域の四隅のいずれかであることが好ましい。本実施形態では、図から見て主走査方向右端の表示領域とした。ディスプレイパネル２２の表示領域外は、光が透過しないようマスキングされており、このマスキング領域と隣り合う位置であれば、ＣＣＤセンサ２３による識別が容易となる。
【００２８】
図示しないＣＣＤセンサ２３は、ディスプレイパネル２２の外側かつ異常検知用データが表示される位置近傍に複数配置される。勿論、検知領域が広いＣＣＤセンサであれば、異常検知用データの表示数以下の数を配置しても良い。
【００２９】
また、本実施形態では、光源５０の照明領域を副走査方向に光源の数に合わせて設定したが、例えば、光源５０ａ〜５０ｄを主走査方向にも複数分割したモジュールとしても良い。このように主走査方向、副走査方向共に複数に分割した光源モジュールとした場合、異常検知用データ付加位置を、各光源モジュール１つに対して１つ設けるよう構成してもよい。ただし、表示品質の観点から複数の光源モジュールのうち、ディスプレイパネル２２の四隅に対応する部分にのみ異常検知用データを付加するようしても良い。このように付加位置および数は任意に設定可能である。
【００３０】
さらに、本実施形態では、複数の光源の照明領域各々に対応する領域内に異常検知用データを付加するようしたが、例えば、先に説明したようにディスプレイパネル２２を構成する複数の液晶モジュール各々に対応する領域内に異常検知用データを付加するよう構成しても良い。
その他、本実施形態の思想を逸脱しない範囲で種々変形可能である。
【００３１】
本実施形態を採用することにより、ディスプレイの構成に合わせて異常検知することが容易となる。
【符号の説明】
【００３２】
１…制御ユニット、２…表示ユニット、１０…ＣＰＵ、１１…ＲＡＭ、１２…ＲＯＭ、１３…ＨＤＤ、１４…ＬＡＮアダプタ、１５…グラフィック制御部、２０…ディスプレイ制御回路、２１…ディスプレイ駆動回路、２２…ディスプレイパネル、２３…ＣＣＤセンサ、２４…センサ、３０…フレームデータ、４０…異常検知用データ、５０…光源、５１…照明領域
【図１】
2012073312.tif 000003
【図２】
2012073312.tif 000004
【図３】
2012073312.tif 000005
【図４】
2012073312.tif 000006